Podtech/llm-jp-corpus-v4-ja_patent huggingface dataset:
(57)【要約】      （修正有）【課題】テレビやビデオのリモコンは、操作ボタンが多数あり、無用な操作で混乱を起こさないようにする。【解決手段】リモコン本体の操作ボタンで、日常頻繁に使用する操作ボタンだけ操作でき、それ以外の操作ボタンは指で触れることができないようにした。【選択図】図２
0003103263.tif 000002
【実用新案登録請求の範囲】
【請求項１】
リモコン本体の操作ボタンと、同位置に穴を設け、この穴に、上下移動する操作ボタンをはめ込む構造のリモコンの蓋カバー。
【考案の詳細な説明】
【考案の詳細な説明】
【０００１】〔考案が解決しようとする課題〕テレビやビデオの操作ボタンには、日常、あまり使用しないボタンが多数あり、高齢者や幼い小供等は、無用なボタン操作を行い、混乱を起こしたり、設定プログラムや緑画等が無効になる問題点があった。
【０００２】〔課題を解決するための手段〕リモコン本体１の操作ボタン２と、同位置に穴３を設けたリモコンの蓋カバー４で、この穴に、はめ込んで軽くリモコン本体の操作ボタンに接して、上下移動する突起状の操作ボタン５を設けたものである。なお、リモコンの蓋カバーをリモコン本体に取り付ける法方としては、突起状の爪を設けて圧着する、あるいは、ネジによって固定する。さらには、ケース状にして、その中にリモコン本体を収めることもできる。
【０００３】〔考案の効果〕蓋カバー４に、日常頻繁に使用する操作ボタンの位置だけに、突起状の操作ボタン５をはめ込んで、リモコン本体１に取り付けることにより、それ以外のリモコン本体の操作ボタン２には、指を触れることが出来ないので、無用なボタン操作がなくなる。また、蓋カバーを取りはずせばリモコン本来の操作ができる。
【図面の簡単な説明】
【図１】リモコンの蓋カバーを示す平面図である
【図２】考案したリモコンの蓋カバーに、一部突起状の操作ボタンを取り付け、リモコン本体と組み合わせた断面である
【図３】図２に於ける一部拡大断面図である。〔符号の説明〕１  リモコン本体２  リモコン本体の操作ボタン３  リモコンの蓋カバーの穴４  リモコンの蓋カバー５  リモコンの蓋カバーの穴に、はめ込む操作ボタン
【図１】
0003103263.tif 000003
【図２】
0003103263.tif 000004
【図３】
0003103263.tif 000005
(57)【要約】【課題】作画が容易ではない絵や図形、パターン柄などが簡単かつ正確に描けるテンプレートを提供する。【解決手段】基準テンプレートＡには入替え用孔１とスライド用スリット２を設ける。１枚のテンプレートでは作画できない絵、図形、パターン柄などを２枚以上のテンプレートに分割したものが交換テンプレートＢ１、Ｂ２・・・である。交換テンプレートは入替用孔１と同じ大きさであり、入替用孔に順にセットして作画していくので複雑な図形などのテンプレートでの作画が可能である。基準テンプレートは動かさず、交換テンプレートのみを入替えるので同じ場所での作画が容易であり、スライド用スリットを使用することで水平、垂直に連続するパターン柄などの作画も可能である。【選択図】図１
0003103266.tif 000002
【実用新案登録請求の範囲】
【請求項１】
基準テンプレートＡには入替え用孔１とスライド用スリット２を設ける。交換テンプレートＢ１、Ｂ２・・・は１枚のテンプレートでは作画できない絵、図形、パターン柄などを２枚以上のテンプレートに分割したもので、入替用孔１と同じ大きさである。入替用孔に交換テンプレートをセットし、１順するまで作画する。基準テンプレートは動かさず交換テンプレートのみを入替えて作画していくテンプレートである。
【考案の詳細な説明】
【技術分野】
【０００１】
本考案は、複雑な絵、図形、パターン柄などを簡単かつ、正確に描くためのテンプレートに関するものである。
【背景技術】
【０００２】
従来、テンプレートを使用しての作画というのは、円形、三角形、多角形などの単純な図形や、英数字、記号というように１枚のテンプレートで作画が可能なものが対象である。また、複雑な絵や図形などを１枚のテンプレートで作画するのは不可能であり、２枚以上に分割してテンプレートを製作したとしても、１枚目のテンプレートで作画した図形に２枚目以降のテンプレートを目視で合わせて作画していくのは容易なことではなかった。
【考案の開示】
【考案が解決しようとする課題】
【０００３】
複雑な絵、図形、パターン柄などを複数枚に分割したテンプレートで作画する際、２枚目以降のテンプレートを目視で合わせなければならない点である。
【課題を解決するための手段】
【０００４】
２枚目以降のテンプレートを容易にセットできるように、ガイドとなるテンプレートを使用することを特徴とする。
【考案の効果】
【０００５】
本考案のテンプレートは、ガイドとなる基準テンプレートに作画のためのテンプレートを入替えながら使用することで、定位置でのテンプレート作画が容易である。また、スライド用スリットに筆記具などを入れ、基準テンプレートを移動することで水平、垂直に連続するパターン柄などの作画も可能である。
【考案を実施するための最良の形態】
【０００６】
ガイドとなる基準テンプレートＡには、入替え用孔１、スライド用スリット２、指掛けスリット３を設ける。実際の作画用となる交換テンプレートＢ１、Ｂ２・・・は作画する絵柄を２枚以上に分割して製作したもので、入替用孔１と同じ大きさである。
【産業上の利用可能性】
【０００７】
複雑な絵や図形なども複数枚の交換テンプレートに分割することで、手描きでの作画が容易になる。
【図面の簡単な説明】
【０００８】
【図１】基準テンプレートと交換テンプレートの斜視図である。
【図２】基準テンプレートの平面図である。
【図３】交換テンプレートの平面図である。
【図４】作画完成図である。
【符号の説明】
【０００９】
Ａ    基準テンプレート
Ｂ１、Ｂ２、Ｂ３    交換テンプレート
１    入替用孔
２    スライド用スリット
３    指掛けスリット
【図１】
0003103266.tif 000003
【図２】
0003103266.tif 000004
【図３】
0003103266.tif 000005
【図４】
0003103266.tif 000006
【手続補正書】
【提出日】平成16年3月16日(2004.3.16)
【手続補正１】
【補正対象書類名】実用新案登録請求の範囲
【補正対象項目名】請求項１
【補正方法】変更
【補正の内容】
【請求項１】
基準テンプレートＡの入替え用孔１に、交換テンプレートＢ１、Ｂ２・・・を順にセットし、１順するまで作画していく入替式テンプレート。
(57)【要約】    【課題】  マンション、戸建住宅等の若しくは、それに類する場所において、入浴のみを主体とされた浴室空間であった、その生活ライフから、入浴しながら心の癒しである庭園をも鑑賞できる、システム。さらには、その庭園を設置する事によって、造園、植栽の楽しみをも享受できるシステムを可能にする。    【解決手段】  従来の入浴のためのユニットバスの一辺の壁を無くし、庭園ユニットとユニットバスル−ムを併設、結合して一体化することによって入浴すると同時に庭園鑑賞、造園、植栽の楽しみを可能にする。【選択図】    図1
0003103264.tif 000002
【実用新案登録請求の範囲】
【請求項１】
庭園ユニットと入浴を目的としたユニットバスを組み立て可能な、かつ一体化させた庭園ユニット付きバスルーム。
【考案の詳細な説明】
【技術分野】
【０００１】
この考案は、入浴のみを目的に造られているユニットバスルームに鑑賞用に造られた庭園ユニットを一体化させたものである。
【背景技術】
【０００２】
従来のユニットバスはただ単に、入浴のみを目的に作成されていました。したがって、人は入浴によって身体を洗う事のほか、心を癒す設備はありませんでした。
【考案の開示】
【考案が解決しようとする課題】
【０００３】
入浴とは身体を洗う行為と共に、心をも癒す場所であるべきであり、そのためには入浴と同時に、庭園等を目でみて鑑賞でき、その目的を満足させる設備でなければならない。
【０００４】
この考案は本来の、入浴の目的を維持すると共に、入浴しつつ自然の木々、池等で配置、造られた庭園等を目で見て、、感覚的に楽しめる。若しくは心をも癒すことが出来るようにしたものである。
【課題を解決するための手段】
【０００５】
請求項１の考案である庭園ユニットルームであるが、これは、内部に散水のための給水口、排水のための排水口等の機能とを兼ね備え、且つ、植栽スペース部分となる下部部分は防水可能なプラスチック、フアイバー板状等の材質で作られている。植栽スペースの上部は外部に臭気、湿気、花粉等が漏れないような箱状で造られている。
【０００６】
上記の庭園ユニットルームと従来のユニットバスを一体化させた結合部分は、透明な壁でしきり、双方の出入りのための出入り口を設ける。更に、両ユニットは分割一体化させるか、全くの一体化構造で造られるかは設置場所の条件に依ることも可能である。また、本来のユニットバスの目的である入浴の機能を損なうことなく、心和む庭園を鑑賞できる
【考案の効果】
【０００７】
本考案に依れば、従来のように入浴のみを目的に作られたユニットバスに、植裁された植物等を鑑賞出来る構造の、庭園ユニットルームを取り付けることによって、入浴時、観光地によくある鑑賞型露天風呂、庭園風呂等の感覚が得られ、その開放感と鑑賞感による精神的な癒しが可能である。また、住居内で多湿等を気に掛けることなく、庭園ユニットルームでの植物育成という楽しみも得られるのである。
【考案を実施するための最良の形態】
【０００８】
従来のユニットバスに、庭園ユニットルームを結合させることによって、入浴という本来の目的を満足しつつ、庭園を鑑賞する、又は、植栽を楽しむことが出来ることを実現した。
【実施例１】
【０００９】
図１はこの考案の基本的な平面図である。区画Ａ部分はユニットバスであり、1はユニットバスを構成する外壁である。区画Ｂ部分は庭園ユニットであり、2は庭園ユニットを構成する外壁である。この庭園ユニットは防水可能なプラスチック等の材質で造られている。3,4,5は一般的なユニットバスの構成である。区画Ａの外壁1と、区画Ｂの外壁2とは、6の部分で結合されている。7は庭園鑑賞が出来るように、ガラス、プラスチック等透明な材質で作られている。8は両ユニットルームの出入り口である。これ等7及び8は、より開放感を得るために無くても良い。また、各ユニットの結合に関してはあらかじめ、一体化して作成されても良い。これら両ユニットの排水は、１３の排水設備で連結されている。
【００１０】
図2はこの考案の断面図である。区画Ａ及び区画Ｂは上述の通りである。10は天井部であり、当考案の設置場所によっては、採光、通気等のために開放しても良いし、ガラス、プラスチック等透明な材質で造られても良い。12等はこのユニットの支柱、13は排水設備である。
【産業上の利用可能性】
【００１１】
この考案の庭園ユニット付きユニットバスルームは限られたスペースでの設置造作が可能であり、従来の様に、庭園造作のための広いスペース、設置場所の諸条件等が軽減される。そして、この考案の目的である、入浴しながらの庭園鑑賞によって、心身ともに癒され、従来とはことなる入浴スタイルが実現できる。
【図面の簡単な説明】
【００１２】
【図１】この考案の平面図
【図２】この考案の断面図
【符号の説明】
【００１３】
1…ユニットバスルームの外壁  2…庭園ユニットルームの外壁  3…ユニットバスの出入り口  4…洗い場  5…浴槽  6…ユニット結合部  7…間仕切り壁  8…庭園ユニット出入り口    9…庭園ユニット部  10…庭園ユニット天井部11…庭園植栽用土盛り部  12…ユニット支柱  13…排水設備
【図１】
0003103264.tif 000003
【図２】
0003103264.tif 000004
(57)【要約】      （修正有）【課題】大型布製袋（フレコンバック２ｍ×１ｍ×１ｍ）はフレーム構造を持たない為、作業現場で自立ので廃材の投入時に不定形の為、投入作業が遣り難かったのを可能とする。又、廃材時に今まで逆さまにしてベルトに引っ掛けていたが垂直方向に対してベルトが足りない為、袋が破れたり、排出作業がし難い点が可能とする。【解決手段】フレコンバックの側部縦軸にプラスチック製パイプを使用し、上部横軸に取外し式金属フレームを組合せることで適度な合成と形状を保つことが出来る。又、排出し難い点はベルトを１本から４本にすることでフレコンバックが破れ難く、数回使用出来ること。【選択図】図１
0003103242.tif 000002
【実用新案登録請求の範囲】
【請求項１】
自立式でフレコンバックの側部縦状にプラスチック製パイプを使用し、フレームには金属を使用ことで安定感があることと上下にベルトが付いているので小型クレーンで回収することを特徴とする自立式フレコンバック。
【考案の詳細な説明】
【考案の詳細な説明】
【技術分野】
【０００１】  本考案は、自立するので、丈夫で作業が簡易な上、上下に４本づつベルトが付いているので廃材を出すのに簡易なフレコンバックに関するものである。
【背景技術】
【０００２】  産業廃棄物用なので従来、フレコンバックに廃材を入れる為、形が崩れ安定感も失い破れることもある。且つひっくり返して廃材を出すが底ベルトが１本しか無いので安定感が悪い。【０００３】  しかし、自立式フレコンバックは４つの側部にプラスチック製パイプと４本のフレームを使用することにより、強度を増して安定し崩れ難い利点がある。図１はフレコンバックの外観図とパーツの位置関係を示したものであり、１は側部のプラスチック製パイプ、２は金属製フレーム、３は底ベルトを表す。
【考案が解決しようとする課題】
【０００４】  解決しようとする問題点は、如何に大型布製袋（フレコンバック２ｍ×１ｍ×１ｍ）はフレーム構造を持たない訳で作業現場で自立せず、荷物の投入時に不定形の為、投入作業が遣り難い。又、荷の排出時に今までベルトが足りない為、袋が破れたり、排出し難い点がある。
【課題を解決するための手段】
【０００５】  本考案は、フレコンバックの側部縦軸、上部横軸にフレーム材投入用を縫い込むことにより、縦軸にプラスチック製パイプを使用し、上部横軸に取外し式金属製フレームを組合せることに適度な合成と形状を持つことが出来るが最も主要な特徴とする。
【考案を実施するための最良の形態】
【０００６】  四角の立体でその辺にフレーム格納の袋を持ち、最小の部品点数で、理想的な投入口を持たせることが出来るのが実現した。
【実施例】
【０００７】
【０００８】  図１は、本考案の実施例の断面図である。
【考案の効果】
【０００９】  以上説明したように本考案の自立式フレコンバックは、上部横軸に取外し可能な金属製フレーム、側部の縦軸にプラスチック製パイプを使用することで現場で作業がし易く、廃材を排出する時は、今まではベルトが１本だったのを４本にすることで袋が破れにくいので数回使用出来る。又、分解収納が簡単で、持ち運びが便利。
【図面の簡単な説明】
【図１】自立式フレコンバックの実施方法を示した説明図である。（実施例１）
【符号の説明】
１    側部縦軸にプラスチック製パイプを入れる袋
２    金属製フレームを入れる為の袋
３    底ベルト
４    上部ベルト
５    フレコンバックの蓋
【図１】
0003103242.tif 000003
(57)【要約】      （修正有）【課題】折り畳み荷物かごに荷物を積載するが、荷物を積載しないときには折り畳んで平らにできる折り畳み荷物かごを提供する。【解決手段】折り畳み荷物かご底板３に左側面１ａ、右側面１ｂ、前側面２ａ、後側面２ｂを左・右接続リング５、前・後接続リング６にて枢着し、各側面が開閉自在となるようにし、四隅接合部に接合止め金７にて施錠する。よって荷物積載には荷物かごとして機能し、不積載時及び荷物に入りきれないときには折り畳んで従来の荷掛が使用できる。【選択図】図１
0003103248.tif 000002
【実用新案登録請求の範囲】
【請求項１】
自転車の後部荷台に折り畳みかごを装着し、開放して使用する。不使用時には、これを折り畳んで平面にすれば、形態を小さくでき、大きな荷物も負荷できる。
【考案の詳細な説明】
【技術分野】
【０００１】  本考案は、四側面合体部に落としピンを設けた荷物収容かごに関するものである。
【背景技術】
【０００２】  自転車の後部荷台用かごは四側面と底部が一体のものしかなく、駐車時に、両側に駐車してある他の自転車と接触して不便である。
【考案の開示】
【考案が解決しようとする課題】
【０００３】  本考案は、荷物かご本体を使用時には折り畳んである四側面を開き起こして、四隅を落としピンにて接合、これを組立てることができる。不使用時には四隅接合部の落としピンを抜いて各内側に折り畳んで平面的に収納、小型化できる。
【課題を解決するための手段】
【０００４】  本考案は、荷物かごの底部に四側面をリングにて接続し、内折りした各側面を起こして、四隅接続部にある落としピンにて合体する。この様にして荷物かごを組立てることにより収納を可能にして問題点を解決している。
【考案の効果】
【０００５】  荷物かご本体の四隅接合部の落としピンを開錠して四側面を内折りすれば、かご自体が平面になり、小型化できる。
四側面を内折りより起こして四隅接合部の落としピンにて施錠すれば簡単にかごが組立てられる。
【考案の実施するための最良の形態】
【０００６】  上述の様に、本考案の折り畳み荷物かごは荷物かごに荷物を積載することは勿論、折り畳んだときには、荷物かごより大きな荷物を従来の荷掛を使用できる。
【実施例】
【０００７】  以下、添付図面に従って実施例を説明する。１ａ、１ｂ、２ａ、２ｂは針金ネット等適宜素材にて四側面を構成し、３は金属板にて一体化形成された荷物かごであるが、不使用時には各四側面は内側にそれぞれ折り畳まれており、使用時には、各四側面を起こして、四隅の接合部を止め金ピン７にて施錠し組立て完了する。【０００８】  前記荷物かごは自転車の後部荷掛に取付用フラットバ−８と、取付用蝶ネジ９にて固定する。【０００９】  本考案の一実施例は上述の如き構成からなるものであるから、荷物かご本体は荷物積載するとしてもちいることは勿論であるが、止め金ピン７を上抜きして開錠して、各四側面１ａ、１ｂ、２ａ、２ｂを内側に折り畳めば平面にすることができる。
【図面の簡単な説明】
【００１０】
【図１】  本考案の折り畳み荷物かごの一実施例を示す姿図である。
【図２】  本折り畳み荷物かごの平面図である。
【図３】  本折り畳み荷物かごの正面断面図である。
【図４】  本折り畳み荷物かごの側面断面図である。
【図５】  本折り畳み荷物かごのコ−ナ−止め金の詳細図である。
【符号の説明】
【００１１】１ａ、１ｂ  左右側面
２ａ、２ｂ  前後側面
３  底板
４  底板折り返し、前・後
５  左・右接続リング
６  前・後接続リング
７  四隅接合止め金
８  取付用金物  フラットバ−
９  取付用蝶ネジ
【図１】
0003103248.tif 000003
【図２】
0003103248.tif 000004
【図３】
0003103248.tif 000005
【図４】
0003103248.tif 000006
【図５】
0003103248.tif 000007
【手続補正書】
【提出日】平成16年2月25日(2004.2.25)
【手続補正１】
【補正対象書類名】実用新案登録請求の範囲
【補正対象項目名】全文
【補正方法】変更
【補正の内容】
【実用新案登録請求の範囲】
【請求項１】
自転車の後部荷台に装着される折りたたみ荷物かごであって、開放して使用し、不使用時には、これを折り畳んで平面にして、形態を小さくでき、大きな荷物も負荷できる折り畳み荷物かご。
(57)【要約】      （修正有）【課題】キッチンペーパーの特性を活かしてもっと多くの調理工程で使用できる。【解決手段】平面状のものではなく、折りたたみ、かぶせる蓋部分２、まち部分４、袋部分１をつくる。袋の接合部分３は手で簡単に剥がせるものとした。蓋をして振ることにより、野菜の水分を充分に切ることができ、水分を切った後、そのまま冷蔵庫に保管する場合は乾燥を防ぐことができる。【選択図】図３
0003103250.tif 000002
【実用新案登録請求の範囲】
【請求項１】
袋状のキッチンペーパー。
【請求項２】
袋状のキッチンペーパーでかぶせる事により蓋ができる形状。
【請求項３】
まち付きの袋状キッチンペーパー。
【考案の詳細な説明】
【考案の詳細な説明】
【考案が解決しようとする課題】
【０００１】  従来のキッチンペーパーは平面状のものしかなく、キッチンペーパーの特性である水分切りや油切りに使用する場合、一方向からしか吸収できない。また、キッチンペーパーの特性を活かしてもっと多くの調理工程で使用したいが、現状の形状では使用しづらい。
【課題を解決するための手段】
【０００２】  上記の課題を解決するために、キッチンペーパーを袋状にし、かつ、かぶせることにより蓋になる部分を付けた。また、さらに使い勝手を良くするため、袋はまち付きとし、袋の接合部分は手で簡単に剥がせるものとした。
【考案の効果】
【０００３】  蓋をして振ることにより、野菜の水分を充分に切ることができる。また、水分を切った後、そのまま冷蔵庫に保管する場合は乾燥を防ぐことができる。
袋状にすることにより揚げ物を直接入れることができ、蓋をして振ることにより、油が充分に切れる。また、表面に味付けをする場合は油切りと同時に行なうことができる。
スープストックの処理が簡単に行なえ、さらにあくも取れる。
その他、電子レンジでの蒸し物など、多目的な調理に使用することができる。
【図面の簡単な説明】
【図１】蓋付き袋の前面図である。
【図２】蓋付き袋の背面図である。
【図３】蓋付き袋の断面図及び斜視図である。
【符号の説明】
１  袋部分
２  蓋部分
３  接合部分
４  まち部分
【図１】
0003103250.tif 000003
【図２】
0003103250.tif 000004
【図３】
0003103250.tif 000005
【手続補正書】
【提出日】平成16年2月20日(2004.2.20)
【手続補正１】
【補正対象書類名】実用新案登録請求の範囲
【補正対象項目名】全文
【補正方法】変更
【補正の内容】
【実用新案登録請求の範囲】
【請求項１】
袋状のキッチンペーパー。
【請求項２】
かぶせる蓋を備えたことを特徴とするキッチンペーパー。
【請求項３】
まち付きの袋状キッチンペーパー。
(57)【要約】      （修正有）【課題】金槌自体でもって相応の寸法を計測できるようにした寸法目盛り付金槌を提供する。【解決手段】金槌の頭部及び握り部分に、軽量合金または、硬質プラスチック等の寸法目盛り板２を取り付けるようにした。目盛り板を取り付けることによって、０．００〜０．０８ｍ程度であれば金槌の目盛り板を使って計測することができ、作業の達成速度の向上、及び作業場所によっては、作業の安全性にも効果がおよぶ。【選択図】図１
0003103249.tif 000002
【実用新案登録請求の範囲】
【請求項１】
従来の金槌に寸法目盛り板をとりつけた工具。
【考案の詳細な説明】
【考案の詳細な説明】
【考案が解決しようとする課題】
【０００１】  従来、金槌で釘打ち作業等の場合、釘打ち点の位置又は間隔などを少量の寸法の計測であっても必要に応じて別個の計測器具を用いていたが、その器具を取り出す手間及び作業場所によっては左手に計測器具、右手に金槌では自身のバランス確保が難しいという問題点を有していた。また測量作業で金属鋲打設等の場合、測距機で計測後に少量の寸法の修正距離をいちいち計測器具で計りながら金属鋲打設等の作業を行っている。
【課題を解決するための手段】
【０００２】  上記課題を解決するために、金槌の頭部及び握り部分に、軽量合金または、硬質プラスチック等の寸法目盛り板を取り付けるようにした。
【考案の効果】
【０００３】  目盛り板を取り付けることによって、０．００〜０．０８ｍ程度であれば金槌の目盛り板を使って計測することができ、作業の達成速度の向上、及び作業場所によっては、作業の安全性にも効果がおよぶ。
【図面の簡単な説明】
【図１】寸法目盛り板をとりつけた金槌の斜視図である。
【図２】寸法目盛り板をとりつけた金槌の平面図である。
【図３】寸法目盛り板をとりつけた金槌の断面図（Ａ−Ｂ）である。
【図４】寸法目盛り板をとりつけた金槌の断面図（Ｃ−Ｄ）である。
【符号の説明】
１  金槌本体
２  寸法目盛り板
【図１】
0003103249.tif 000003
【図２】
0003103249.tif 000004
【図３】
0003103249.tif 000005
【図４】
0003103249.tif 000006
【手続補正書】
【提出日】平成16年2月23日(2004.2.23)
【手続補正１】
【補正対象書類名】実用新案登録請求の範囲
【補正対象項目名】全文
【補正方法】変更
【補正の内容】
【実用新案登録請求の範囲】
【請求項１】
金槌に寸法目盛り板をとりつけた工具。
(57)【要約】      （修正有）【課題】紙おむつ等から発生する臭気は不快に感じながらも、これまではビニール袋で覆って臭気を遠ざける程度の不完全な対策しか講じられてこなかった。そこで、この臭気を閉じこめる専用の使い捨て容器を提供する。【解決手段】通気性のない袋（１）の開口部内壁面の全周に粘着テープ（２）を取り付けて、外気に通じる隙間を漏れなく塞ぐ構造を開発した。通常、粘着テープを用いて二つの面を接着しようとするときは、片方の面に粘着テープを取り付けて、もう一つの面に圧着して固定する。しかし、この考案では（１）の開口部の全周にわたって（２）を取り付ける構造としたので、仮に（１）の開口部を閉じる際に（２）の一部がねじれても、相対する面の粘着テープの作用で（１）の気密性が損われることがないのである。【選択図】図１
0003103243.tif 000002
【実用新案登録請求の範囲】
【請求項１】
袋（１）の開口部内壁面に周回する粘着テープ（２）を取り付けて、紙おむつ等の臭気を閉じこめる使い捨て容器
【請求項２】
愛玩動物の排泄物やそれを処理した用品を封入する〔請求項１〕の容器
【請求項３】
本考案の容器の端部に張り出し部を設け、袋（１）を丸めて固定できる構造とした〔請求項１〕の容器
【考案の詳細な説明】
【考案の詳細な説明】
【技術分野】
【０００１】  この考案は、袋の開口部内壁面に周回する粘着テープを取り付けて、臭気を閉じこめる使い捨て容器に関する。
【背景技術】
【０００２】  使用済みの紙おむつのように臭気を発する廃棄物も、ゴミ収集の指定日までは、各個で溜め置きにして保管しなければならない。しかし、この種の臭気に対しては不快に感じながらも、これまではビニール袋で覆って臭気を遠ざける程度の不完全な対策しか講じられてこなかった。
【考案が解決しようとする課題】
【０００３】  この考案は上記のような事情に着目して開発されたもので、臭気を発する物質を袋に封入して通気を遮断する専用の容器を考案した。
【課題を解決するための手段】
【０００４】  この考案においては、紙おむつを封入する袋（１）の通気を遮断するために、（１）の開口部内壁面の全周に粘着テープ（２）を取り付けて、外気に通じる隙間を漏れなく塞ぐ構造とした。
【考案を実施するための最良の形態】
【０００５】  本考案の実施の形態について説明する。紙おむつ等を収容するに足る大きさの袋（１）の開口部内壁面に周回する粘着テープ（２）を取り付ける。  この考案の使用は、（１）に使用した紙おむつ等を入れ、中の空気を押し出すようにたたみ込む。次いで、（２）の剥離シールを取り除き、（１）の開口部を押さえて（２）の全周を密着させる。【０００６】  〔請求項３〕の実施例を図面に参照して説明する。〔図−１〕に示すとおり、袋（１）の端部に張り出し部を設ける。次いで、〔図−２〕のように（１）を封じた後にこれを丸め、最後は止着テープ（３）の接着力を利用してコンパクトに固定する。こうすることで、廃棄物の嵩張りに対応するとともに、見栄えを良好なものにすることができる。この際に、張り出し部のスペースにポケット（４）を取り付けておけば、粘着テープ（２）を使用するときに発生する剥離シール等の残滓を収容することができる。
【本考案の効果】
【０００７】  通常、粘着テープを用いて二つの面を接着しようとするときは、片方の面に粘着テープを取り付けて、もう一つの面に圧着して固定する。  しかし、この考案では、袋（１）の開口部の全周にわたって粘着テープ（２）を取り付ける構造としており、（１）の開口部の全面が接着効果を発揮する特徴を有している。したがって、この考案の様態で接着を行えば、仮に（１）の開口部を閉じる際に（２）の一部がねじれるようなことがあっても、相対する面の粘着テープの作用で隙間が生じることはない。（２）の取り扱いを多少乱暴にしても、（１）の通気は遮断されて気密性は損われないのである。
【図面の簡単な説明】
【図１】この考案の鳥瞰図である。
【図２】この考案の使用形態の概念図である。
【符号の説明】
１は臭気の原因を封入する袋  ２は粘着テープ  ３は止着テープ  ４は残滓収容のポケット
【図１】
0003103243.tif 000003
【図２】
0003103243.tif 000004
【手続補正書】
【提出日】平成16年2月10日(2004.2.10)
【手続補正１】
【補正対象書類名】実用新案登録請求の範囲
【補正対象項目名】全文
【補正方法】変更
【補正の内容】
【実用新案登録請求の範囲】
【請求項１】
袋（１）の開口部の内側壁面に周回する粘着テープ（２）を取り付けて、紙おむつ等の臭気を閉じこめる使い捨て容器
【請求項２】
容器の端部に張り出し部を設け、袋（１）を丸めて固定できる構造とした〔請求項１〕の容器
【手続補正２】
【補正対象書類名】明細書
【補正対象項目名】０００１
【補正方法】変更
【補正の内容】
【０００１】  この考案は、袋の開口部の内側壁面に取り付けた粘着テープの作用をもって臭気を閉じこめる使い捨て容器に関する。
【手続補正３】
【補正対象書類名】明細書
【補正対象項目名】０００２
【補正方法】変更
【補正の内容】
【０００２】  使用済みの紙おむつのように臭気を発する廃棄物も、ゴミ収集の日までは、各戸において保管をしなければならない。しかし、これまではこの種の臭気を不快に感じながらも、ビニール袋で覆って臭気を遠ざける程度の不完全な対策しか講じられてこなかった。
【手続補正４】
【補正対象書類名】明細書
【補正対象項目名】０００４
【補正方法】変更
【補正の内容】
【０００４】  この考案においては、紙おむつを封入する袋（１）の通気を遮断するために、（１）の開口部の内側壁面に周回する粘着テープ（２）を取り付けて、外部に通じる隙間を塞ぐ構造とした。
【手続補正５】
【補正対象書類名】明細書
【補正対象項目名】０００５
【補正方法】変更
【補正の内容】
【０００５】  この考案の実施の形態について説明する。紙おむつ等を収納するに足る大きさの袋（１）の開口部の内側壁面に周回する粘着テープ（２）を取り付ける。
この考案の使用は、（１）に使用した紙おむつ等を収納し、中の空気を押し出すようにたたみ込む。次いで、（２）の剥離シールを取り除き、（１）の開口部を押さえて（２）の全体を密着させる。
【手続補正６】
【補正対象書類名】明細書
【補正対象項目名】０００６
【補正方法】変更
【補正の内容】
【０００６】  〔請求項２〕の実施例を図面に参照して説明する。〔図１〕に示すとおり、袋（１）の端部に張り出し部を設ける。次いで、〔図２〕のように（１）を封じた後にこれを丸め、最後は止着テープ（３）の接着力を利用してコンパクトに固定する。
また、張り出し部のスペースに取り付けたポケット（４）を利用して、粘着テープ（２）から発生する剥離シール等の残滓を収容する。
【手続補正７】
【補正対象書類名】図面
【補正対象項目名】〔図２〕
【補正方法】変更
【補正の内容】
【図２】
0003103243.tif 000005
(57)【要約】      （修正有）【課題】折りたたみが簡単に出来るイカリを提供する。【解決手段】イカリ本体にパイプ１を付けパイプ１にバネ板２ストパー９をボルト３で留め横棒６にツバを付け横棒６と横棒７を丸棒８でつなぎ横棒７にストパー９を溶接の肉もりあげで作ることを特徴とする。【選択図】図１
0003103246.tif 000002
【実用新案登録請求の範囲】
【請求項１】
図（１）の用にイカリ本体にパイプ（１）を溶接する。
横棒（６）にツバ（５）を溶接しパイプ（１）に通す。
バネ板（２）にストッパー（４）をボルト（３）で止めバネ板（２）をパイプ（１）にボルトで止め横棒が簡単にたためるイカリに関するものである。
【請求項２】
横棒（６）と横棒（７）を丸棒（８）で止め丸棒（８）を溶接してパイプ（１）に通しストッパー（９）を溶接することで横棒をたたむ時簡単にたためストッパー（９）で止まるイカリに関する物である
【考案の詳細な説明】
【考案の詳細な説明】
【技術分野】
【０００１】この考案はバネ板にストッパーを付け  横棒の先を折り曲げれる事でたためるイカリに関する物である。
【背景技術】
【０００２】従来、図（３）の用に横棒にボルトを溶接したイカリがあった。
【考案が解決しようとする課題】
【０００３】これは次のような欠点があった。
（イ）  ボルトと横棒を溶接するので溶接部分が折れる
（ロ）  ボルトを溶接するのでネジヤマいたみボルトが入らなくなる。
本考案は  これらの欠点を除く為になされたものである。
【課題を解決刷る為の手段】
【０００４】（１）図（１）の用にイカリ本体にパイプ（１）を溶接する。
図（２）の用に横棒（６）にツバ（５）を溶接しパイプ（１）に通す。
バネ板（２）にストパー（４）をボルト（３）で留めバネ板（２）をパイプ（１）にボルト（３）で留めたイカリである。
（２）図（２）の用に横棒（６）と横棒（７）に穴をあけ丸棒（８）を通し横棒（６）の方へ溶接しストパー（９）を溶接の肉もり上げで作る。
【考案を実施するための最良の形態】
【０００５】以下、本案の実施の形態について説明する。
（イ）図（１）の用にイカリ本体にパイプ（１）を溶接する。
（ロ）図（２）の用に横棒（６）にツバ（５）を溶接しパイプ（１）に通す。
（ハ）バネ板（２）にストパー（４）をボルト（３）で留めバネ板（２）をパイプ（１）にボルト（３）で留め
（ニ）図（２）の用に横棒（６）と横棒（７）に穴をあけ丸棒（８）を通し横棒（６）の方へ溶接しストパー（９）を溶接で肉もり上げで作る。
本案を使用する時は横棒（６）を手で持ってイカリ本体に溶接しているパイプ（１）に差し込むことでツバ（５）がストパー（４）を通り図（２）の用になり  固定出来、使用出来、たたむ時はバネ板（２）を指で上に上げる事でストパー（４）があがりツバ（５）がはずれ横棒が抜けストパー（９）でとまり、図（４）の用にたたむことが出来る。
【考案の効果】
【０００６】本案は以上のような構造でこれを使用する時は横棒（６）を手で持ってイカリ本体に溶接しているパイプ（１）に差込みストパー（４）で固定出来使用出来る。
たたむときはバネ板（２）を指で上に上げることでストパー（４）上がりツバ（５）がはずれ横棒が抜けストパー（９）で留まり  図（４）のようにたたむことが出来る。
【図面の簡単な説明】
【図１】    本考案の斜視図である
【図２】    本考案の横棒の一部を切り欠いた側面図である
【図３】    従来の横棒の側面図である
【図４】    たたんだ時の斜視図である
【符号の説明】
１  パイプ      ２バネ板      ３ボルト    ４ストパー
５  ツバ        ６横棒        ７横棒      ８丸棒
９  ストパー    １０ボルト    １１溶接
【図１】
0003103246.tif 000003
【図２】
0003103246.tif 000004
【図３】
0003103246.tif 000005
【図４】
0003103246.tif 000006
【手続補正書】
【提出日】平成16年2月17日(2004.2.17)
【手続補正１】
【補正対象書類名】実用新案登録請求の範囲
【補正対象項目名】全文
【補正方法】変更
【補正の内容】
【実用新案登録請求の範囲】
【請求項１】
イカリ本体にパイプ（１）を溶接し横棒（６）にツバ（５）を溶接しパイプ（１）に通しバネ板（２）にストパー（４）をボルト（３）で留めバネ板（２）をパイプ（１）にボルトで留め横棒が簡単にたためるイカリに関するものである。
【請求項２】
横棒（６）と横棒（７）を丸棒（８）で留め丸棒（８）を溶接してパイプ（１）に通しストパー（９）を溶接することで横棒をたたむ時  簡単にたためストパー（９）をつけたイカリ
(57)【要約】【課題】冷風をおさえる耳付き座布団に関するものである。【解決手段】事務や車椅子座布団等に収納可能なシートを取付ける事により脚部背後からの冷風をおさえ脚部を冷えから守ることで解決とするものである。【選択図】    図３
0003103284.tif 000002
【実用新案登録請求の範囲】
【請求項１】
座布団に耳を取り付けることにより椅子背後からの冷風をおさえ、脚部を冷えから守る耳付き座布団。
【考案の詳細な説明】
【技術分野】
【０００１】本考案は椅子の背後からの冷風の防止に関するものである。
【背景技術】
【０００２】従来、夏季の事務所内等での業務を行う場合、室内の冷房の為女性は膝掛け等を用意しても背後からの冷風には手当てがなく、特にふくらはぎ付近は無防備となりやすく、冷え性などの原因となり、これまで充分なものがないのが現状であった。
【考案の開示】
【考案が解決しようとする課題】
【０００３】この考案は座布団に収納できるシートを取付ける事により背後からの冷風をおさえ、脚部分を冷えから守ることで解決課題とするものである。
【課題を解決するための手段】
【０００４】この考案の耳付きシートは座布団の中材として用いられているウレタン、固綿、炭マットなどのクッション材の一辺を縫い付けたり接着したり、あるいは上部分の生地を延長することにより容易に装着でき、背後からの冷風を遮断できる。
不要の時は簡単に外カバーの中に収納することができる。
この場合は外カバーは中材クッションを出し入れするための開口部分はファスナーかボタン止めするのが望ましい。
考案のシートは収納時を考えてクッション材の長さと同等にするのが便利である。
またシートは布地単体より綿等を入れたキルト資材の方が温かく且つ多少の重さが加えられるので使用時の安定が良い。
耳付きシートの長さや中材のクッション材の厚さは用途や好みに応じて変更しても何ら効果を損なうことは無い。
【考案の効果】
【０００５】この考案の耳付き座布団は座布団本体より耳部分を簡単に取り出すことにより、これまで困難とされていた脚部裏側の膝やふくらはぎなどへの背後からの冷風をおさえることが可能になり事務業務や車椅子での散歩には好適な環境となった。
【考案を実施するための最良の形態】
【０００６】図１Ａはこの考案の耳付き中材を収納した全体の図であり（イ）は中材の取り出し箇所である。収納したときには一般の座布団と何ら変化は無い。
図２は図１の座布団全体より中材全体を取り出して表した図である。
（ロ）は座布団のクッション材であり、（ハ）はクッション材に取り付けられてある冷風止めのシート部分である。
図３は使用時に外カバーより取り出した時の冷風止めシートである。
このシートが脚部背後からの冷風を止め業務時や車椅子使用時にも好適な状態を保つことになる
【図面の簡単な説明】
【０００７】
【図１】この考案の耳付き座布団の収納全体図
【図２】この考案の図１より取り出した中材の立体図
【図３】図１より使用時に耳部分取り出した全体図
【符号の説明】
【０００８】（Ａ）取付シートを収納した全体図
（イ）耳付シートの出し入れ口
（ロ）中材のクッション
（ハ）中材クッションと連結された耳付きシート
（二）座布団の外カバー
（ホ）外カバーより取り出した耳付シート
【図１】
0003103284.tif 000003
【図２】
0003103284.tif 000004
【図３】
0003103284.tif 000005
(57)【要約】      （修正有）【課題】従来、釣で垂下型釣はオモリが海底に接触するため岩間に挟まりやすく、オモリが岩に引っ掛かり釣糸が切れて海底にオモリが残るという問題を有していた。【解決手段】釣り糸４の先端に取付けられた針金１の上部に、オモリ２を取付けて海底の岩５と接触しない位置としながらも、オモリ２が海底まで届いたことがわかる様な構造とした。【選択図】図３
0003103287.tif 000002
【実用新案登録請求の範囲】
【請求項１】
先端が細くなった金具の上部にオモリを取付け、海底部の岩間にオモリが引っかからないようにする金具
【考案の詳細な説明】
【考案の詳細な説明】
【考案が解決しようとする課題】
【０００１】  従来、釣で垂下型釣はオモリが海底に接触するため岩間に挟まりやすく、オモリが岩に引っ掛かり釣糸が切れて海底にオモリが残るという問題を有していた。
【課題を解決するための手段】
【０００２】  上記目的を達成するために、針金の上部にオモリを取付け海底と接触しない位置としながらも、オモリが海底まで届いたことがわかる様な構造とした。
【考案の効果】
【０００３】  岩の隙間にオモリが挟まらなくなり、釣糸が切れるのを回避することができる。又、オモリを海底に残さないので環境にも優しい。
【図面の簡単な説明】
【図１】針金にオモリをぶら下げた場合の断面図である。
【図２】針金に直接オモリを取付けた場合の断面図である。
【図３】海底部での岩の隙間にオモリが挟まらない説明図である。
【符号の説明】
１  針金
２  オモリ（ぶら下げ式）
３  オモリ（筒形状式）
４  釣り糸
５  岩
【図１】
0003103287.tif 000003
【図２】
0003103287.tif 000004
【図３】
0003103287.tif 000005
(57)【要約】      （修正有）【課題】マッサージ器具の使用の際、従来品特有の冷たさ等により男性性器に十分な血流が不足しそれにより海綿体に充血が行われず性的不満を解消するには至らない。性的不満を解消し、体温に近いもしくは体温と同等の温度を備える装置や器具の提供。【解決手段】電流にて発熱する発熱体を内部に組み込む事で電流にて、発熱する発熱体からの発熱により、従来では実現しなかった体温に近いもしくは体温と同等の温度を備える。【選択図】図１
0003103285.tif 000002
【実用新案登録請求の範囲】
【請求項１】
マッサージ器具により男性の自慰行為等性的不満を解消する為に精子採取器に近い形の装置や器具やマッサージ器具に電流にて発熱する発熱体をマッサージ器具に組み込む事を特徴とするマッサージ器具。
【請求項２】
マッサージ器具により男性の性的不満を解消する装置や器具やマッサージ器具に電流にて発熱する発熱体をマッサージ器具に組み込む事を特徴とするマッサージ器具。
【請求項３】
既存するマッサージ器具に電流にて発熱する発熱体をマッサージ器具に組み込み、男性器の温熱マッサージにより男性性器の血流を促進し性的刺激を増進することを目的とした器具。
【考案の詳細な説明】
【技術分野】
【０００１】マッサージ器具により男性の自慰行為等性的不満を解消する為に精子採取器に近い形の装置や器具やマッサージ器具に電流にて発熱する発熱体をマッサージ器具に組み込む事を特徴とするマッサージ器具。
【背景技術】
【０００２】マッサージ器具には男性の自慰行為等性的不満を解消する為に精子採取器に近い形の装置や器具やマッサージ器具がある。
だが使用の際、従来品特有の冷たさ等により男性性器に十分な血流が不足しそれにより海綿体に充血が行われず性的不満を解消するには至らなかった。また、性的不満を解消する装置や器具、男性性器を充血させる装置や器具は多種あるが、体温に近いもしくは体温と同等の温度を備える装置や器具は、極めて少ない。
体温に近いもしくは体温と同等の温度を発生するための熱源には電源を必要とするが家庭用電源などによるコンセントからの電力供給が不可欠であったが、電源供給ケーブルが長く使用時や収納時等に電源供給ケーブルなどが、足や手に絡まる危険性を残す。
性的不満を解消する装置や器具に、体温に近いもしくは体温と同等の温度を持たせる技術を内包し、体温に近いもしくは体温と同等の温度を発生させる熱源と電力の供給により使用や収納等の問題に対応する積極的且つ簡便な生活技術がなかった。
【発明が解決しようとする課題】
【０００３】マッサージ器具には男性の自慰行為等性的不満を解消する為に精子採取器に近い形の装置や器具やマッサージ器具がある。
だが使用の際、従来品特有の冷たさ等により男性性器に十分な血流が不足しそれにより海綿体に充血が行われず性的不満を解消するには至らない事、性的不満を解消する装置や器具、男性性器を充血させる装置や器具は多種あるが、体温に近いもしくは体温と同等の温度を備える装置や器具は、極めて少ない。
電力供給が不可欠であったが、電源供給ケーブルが長く使用時や収納時等に電源供給ケーブルなどが、足や手に絡まる危険性を残している。
以上により、性的不満を解消する装置や器具やマッサージ器具に、体温に近いもしくは体温と同等の温度を発生させる熱源を備え、使用時や収納時に電源供給ケーブルなどが足や手に絡まる危険性を取り除く必要がある。
【課題を解決するための手段】
【０００４】マッサージ器具には男性の自慰行為等性的不満を解消する為に精子採取器に近い形の装置や器具やマッサージ器具がある。
電流にて発熱する発熱体を内部に組み込む事で電流にて発熱する発熱体からの発熱により、従来では実現しなかった体温に近いもしくは体温と同等の温度を備える装置や器具やマッサージ器具としての機能を備える。
電流にて発熱する発熱体には乾電池等で体温に近いもしくは体温と同等の温度を発熱するものを使用し電源供給時におけるケーブル長を格段に短くし使用時や収納時等に電源供給ケーブルなどが、足や手に絡まる危険性を解消する。
【考案を実施するための最良の形態】
【０００５】１）マッサージ器具として男性の自慰行為等性的不満を解消する精子採取器に近い形の装置や器具やマッサージ器具  ２）乾電池によって発熱する電流にて発熱する発熱体  ３）乾電池ボックス  ４）電力供給ケーブル  ５）電源スイッチ
まず使用前に１）に潤滑材等を中にいれ３）の乾電池ボックスに乾電池が入っていること確認し５）のスイッチを入れ電源を入れます。２）の電流にて発熱する発熱体が発熱し約１分ほどで使用状態になります。
【実施例】
【０００６】電流にて発熱する発熱体の電源を入れ、１分程待ち体温に近いもしくは体温と同等の温度を指などで確認し、陰茎を挿入して装置内で前後上下運動を施すことにより陰茎に適度な刺激を与え、男性の性的不満を解消することが出来る。
【発明の効果】
【０００７】本発明品を使用することにより自分自身又は介添えにより、男性の自慰行為等性的不満を解消出来るとともに血流を促し陰茎の健康を増進することを目的とした器具である。また同時に電流にて発熱する発熱体の遠赤外線効果により陰茎の血流を促し血行の循環を促すので括約筋、秘尿、生殖器官の全般的な調子向上を促す。
【産業上の利用可能性】
【０００８】この発明は男性向けだが、女性向け等への方向性の転換などは容易に思いつく。
【図面の簡単な説明】
【０００９】
【図１】  「この製品の平面図である」
【図１】
0003103285.tif 000003
(57)【要約】      （修正有）【課題】血行を良くするために磁気を全身に浴びせることができるタオルを提供する。【解決手段】タオルに複数の磁石を取りつける。このタオルを使用するとタオルでのマッサージ効果と磁石による効果で一段と血行がよくなる。また、タオルを首に巻くと磁気ネックレスの役目も果たすことができる。【選択図】図１
0003103288.tif 000002
【実用新案登録請求の範囲】
【請求項１】
タオルに複数の磁石を取りつけたことを特徴とするタオル。
【考案の詳細な説明】
【考案の開示】
【考案が解決しょうとする課題】
【０００１】  従来、磁石は血行を良くする効果があるということは一般によく知られており、
磁気ネックレスや磁気指輪などがある。
また、タオルは入浴の時とか寒風まさつなどに使用して血行を良くしている。
しかし、これらのものでは磁気を全身に浴びせることができなかった。
【課題を解決するための手段】
【０００２】  上記課題を解決するため、タオルに複数の磁石を取りつけたのである。
【考案の効果】
【０００３】  このタオルを使用するとタオルでのマッサージ効果と磁石による効果で一段と血行がよくなる。また、タオルを首に巻くと磁気ネックレスの役目も果たす
ことができる。
【図面の簡単な説明】
【０００４】
【図１】タオルの斜視図である。
【符号の説明】
【０００５】１    タオル
２    磁石
【図１】
0003103288.tif 000003
(57)【要約】【課題】トラッキング現象の原因である塵埃の蓄積をなくしつまづきのよるケガ・火災の原因である、コードのたるみを少なくする。【解決手段】プラグを斜めに差す事によりトラッキングの防止、コードのたるみ範囲の縮小がねらえる。【選択図】図１
0003103281.tif 000002
【実用新案登録請求の範囲】
【請求項１】
コンセントの差込み口を下方に向け斜めにプラグを抜差しする形状
【考案の詳細な説明】
【技術分野】
【０００１】本考案はトラッキングを防止する為のコンセント形状に関するものである。
【背景技術】
【０００２】従来のコンセントは、プラグ平行差しで使用している。（例えば特許文献１参照）
【特許文献１】  特開平０９−３２０６７８号公報（図１）
【考案の開示】
【考案が解決しようとする課題】
【０００３】従来のコンセント装置では、差込プラグ部分に塵埃が蓄積せれトラッキング現象が発生し火災の原因になる。
コンセントに対し平行にプラグを取付する事により、家電製品の電源コードのたるみが生じ、つまづきよるケガ・火災の原因となる。
【課題を解決するための手段】
【０００４】コンセントの差込み口を斜めにし塵埃をなくす。
【考案の効果】
【０００５】プラグとの接着面をコンセント内部にする事により、塵埃の蓄積をなくす。
電化製品の電源コードのたるみ範囲の縮小。
【考案を実施するための最良の形態】
【０００６】普段抜差ししにくいテレビ・ビデオ等のコンセントとして使用すれば火災などの防止に役立つ。
【産業上の利用可能性】
【０００７】プラグ側の形状の変更には現在ある家電品等の変更はむずかしく大変なコストがかかると思われる。今後取付けるコンセント側の形状変更により、家庭での家電品使用時の不便さ、トラッキング問題の不安が解決していく。
【図面の簡単な説明】
【０００８】壁断面、側面から示した図である。
【図１】
0003103281.tif 000003
(57)【要約】【課題】  本考案はヒメイワダレソウ（学名Ｌｉｐｐｉａ  ｃａｎｅｓｃｅｎｃｅ）の苗カーペットと称する。水田畦畔、のり面または地面などをヒメイワダレソウで省力的かつ短時間で緑化するために、ヒメイワダレソウの苗カーペットの提供を目的とするものである。【解決手段】  数センチメートルに細断したヒメイワダレソウの茎葉（１）を、任意の幅の寒冷紗または防鳥網などのネット（２）と、その上にならべた１〜３ｃｍの土壌またはピートモス、パーライト、バーミキュライトなどの人工培土またはそれらと土壌を混合した培土（３）で、挟み込み、発根させ、ネット（２）に根（４）をからませ、高い引っ張り強度をもち、地表面は花茎葉（５）で覆われる。以上のごとく構成されたロール条（６）に巻き取れるヒメイワダレソウのカーペット状苗。【選択図】  図３
0003103289.tif 000002
【実用新案登録請求の範囲】
【請求項１】
数センチメートルに細断したヒメイワダレソウの茎葉（１）を、任意の幅の寒冷紗または防鳥網などのネット（２）と、その上にならべた１〜３ｃｍの土壌またはピートモス、パーライト、バーミキュライトなどの培土（人工物含む）またはそれらと土壌を混合した培土（３）で、挟み込み、発根させ、ネット（２）に根（４）をからませ、高い引っ張り強度をもち、地表面は花茎葉（５）で覆われる。以上のごとく構成されたロール条（６）に巻き取れるヒメイワダレソウのカーペット状苗。
【考案の詳細な説明】
【技術分野】
【０００１】この考案は、ヒメイワダレソウのロール状に巻き取れるカーペット状の苗に関するものである。
【背景技術】
【０００２】従来、水田畦畔、のり面または地面の緑化のために９ｃｍ、１０．５ｃｍまたは１２ｃｍのプラスチックまたはビニールの鉢に植えられたヒメイワダレソウの苗を１鉢ごとに移植していた。
【考案の開示】
【考案が解決しようとする課題】
【０００３】従来の技術ではヒメイワダレソウを移植するのに１鉢ごとに移植ごてなどで穴を掘り、苗を鉢から抜き、その穴に植えるので、多大な労力を要した。さらに、ヒメイワダレソウが成長し、畦畔、のり面または地面を全面被覆するまでに多くの時間を要した。
【課題を解決するための手段】
【０００４】数センチメートルに細断したヒメイワダレソウの茎葉（１）を、任意の幅の寒冷紗または防鳥網などのネット（２）と、その上にならべた１〜３ｃｍの土壌またはピートモス、パーライト、バーミキュライトなどの培土（人工物含む）またはそれらと土壌を混合した培土（３）で、挟み込み、発根させ、ネット（２）に根（４）をからませ、高い引っ張り強度をもち、地表面は花茎葉（５）で覆われる。以上のごとく構成されたロール条（６）に巻き取れるヒメイワダレソウのカーペット状苗。
【考案の効果】
【０００５】本考案により平らな場所ならばどこでもカーペット状のヒメイワダレソウを作ることができ、これを使用するときは、任意の大きさに切り取り、ロール状に巻き取り、移植場所へ運搬する。移植場所で巻き取ったカーペット状の苗を展開すれば、軽微な労力で、瞬時に全面ヒメイワダレソウで覆われた畦畔、のり面または地面を作ることができる。また、移植時からヒメイワダレソウで覆われているので、雑草の繁茂が少ない。
【考案を実施するための最良の形態】
【０００６】以下、本考案の実施の形態を図面に従って説明する。
【実施例】
【０００７】図１に示すものは第１の実施の形態であって、任意の幅の寒冷紗または防鳥網などのネット（１）と、その上に土壌またはピートモス、パーライト、バーミキュライトなどの培土（人工物含む）またはそれらと土壌を混合した培土（２）を１〜３ｃｍの厚みに敷き並べ、数ｃｍの長さに細断したヒメイワダレソウの茎葉をばらまき、さらに（２）の培土で１ｃｍの厚みに覆土したものである。裁断したヒメイワダレソウは１ｍ２当たり２００ｇが適当である。覆土は部分的に茎葉が表面に露出させる程度とする。覆土後は十分にかん水する。【０００８】図１の状態を乾燥させないようにかん水を繰り返すことにより、図２に示す第２の実施の形態となる。本実施形態は発根した根（３）を寒冷紗にからませ、苗をカーペット状にして、高い引っ張り強度を持つとともに、地表面は花茎葉（５）で全面に覆われるようにしたものである。【０００９】図３は第３の実施形態である。本実施形態は図２の状態を緑化施工時に任意の大きさに切り取り、ロール状（６）に巻き取ったものである。この状態で運搬し、緑化場所に展開する。
【図面の簡単な説明】
【図１】  本考案の第１実施形態の側面図である。
【図２】  本考案の第２実施形態の側面図である。
【図３】  本考案の第３実施形態の斜視図である。
【符号の説明】
１・・・数ｃｍの長さに細断したヒメイワダレソウの茎葉
２・・・任意の幅の寒冷紗または防鳥網などのネット
３・・・土壌またはピートモス、パーライト、バーミキュライトなどの培土（人工物含む）またはそれらと土壌を混合した培土
４・・・根
５・・・花茎葉
６・・・ロール状に巻き取った状態
【図１】
0003103289.tif 000003
【図２】
0003103289.tif 000004
【図３】
0003103289.tif 000005